(57)【要約】【課題】  構成を簡略化し、装置の小型化を図りつつ、光の波長や光の強度を検出することができるレーザ光源装置、このようなレーザ光源装置を用いたホログラム装置及びレーザ光の検出方法を提供すること。【解決手段】  本来的には光の反射により出力光を所望の方向に導くための光学素子を不完全ミラー１０４により構成し、その不完全ミラー１０４を透過した光の照射位置から光の波長を検出し、また当該光の強度を検出しているので、光を光の波長や光の強度を検出するための手段に導くための特別な光学素子、例えばハーフミラー等を別個に設ける必要がなくなる。よって、構成を簡素化し、装置の小型化に寄与することになる。【選択図】  図１
2006114183.tif 000002
【特許請求の範囲】
【請求項１】
マルチモードのレーザ光を発光するレーザ光源と、
前記レーザ光源により発光されたレーザ光を平行光とする第１の光学素子と、
前記第１の光学素子により平行光とされたレーザ光のうち、０次光を前記レーザ光源以外の所定の方向に反射し、１次光をレーザ光源側に反射する回折格子と、
前記回折格子を反射した０次光を所定の方向に反射し、かつ、前記回折格子を反射した０次光の一部を透過する第２の光学素子と、
前記第２の光学素子を透過した光の波長及び当該光の強度のうち少なくとも一方を検出する第１の検出手段と
を具備することを特徴とするレーザ光源装置。
【請求項２】
請求項１に記載のレーザ光源装置において、
前記回折格子の反射面と前記第２の光学素子の反射面とのなす角度を一定に維持しつつ、前記回折格子の反射面に対する前記レーザ光の入射角を可変する可変手段
を具備することを特徴とするレーザ光源装置。
【請求項３】
請求項２に記載のレーザ光源装置において、
前記第１の検出手段により検出された光の波長に基づき前記可変手段を制御する手段
を具備することを特徴とするレーザ光源装置。
【請求項４】
請求項１に記載のレーザ光源装置において、
前記第２の光学素子を反射した光の光路上に配置されたシェアープレートと、
前記シェアープレートを反射した光に基づいて当該光の波長を検出する第２の検出手段と
を更に具備することを特徴とするレーザ光源装置。
【請求項５】
ホログラム記録媒体に対して波長多重によりホログラム記録又は再生するホログラム装置において、
マルチモードのレーザ光を発光するレーザ光源と、前記レーザ光源により発光されたレーザ光を平行光とする第１の光学素子と、前記第１の光学素子により平行光とされたレーザ光のうち、０次光を前記レーザ光源以外の所定の方向に反射し、１次光をレーザ光源側に反射する回折格子と、前記回折格子を反射した０次光を所定の方向に反射し、かつ、前記回折格子を反射した０次光の一部を透過する第２の光学素子と、前記第２の光学素子を透過した光の波長及び当該光の強度のうち少なくとも一方を検出する第１の検出手段とを具備するレーザ光源装置
を備えたことを特徴とするホログラム装置。
【請求項６】
マルチモードのレーザ光を発光し、
前記発光されたレーザ光を平行光にし、
前記平行光とされたレーザ光のうち、０次光を発光側以外の所定の方向に反射し、１次光を発光側に反射し、
前記反射した０次光を所定の方向に反射し、かつ、前記０次光の一部を透過し、
前記透過した光の波長及び当該光の強度のうち少なくとも一方を検出する
ことを特徴とするレーザ光の検出方法。
【発明の詳細な説明】
【技術分野】
【０００１】
本発明は、例えばホログラム記録や再生に用いられるレーザ光源装置、このようなレーザ光源を用いたホログラム装置及びレーザ光の検出方法に関する。
【背景技術】
【０００２】
ホログラフィを使ってデータを記録するホログラム記録装置の開発が進められている。
【０００３】
ホログラム記録装置では、変調された（データが重畳された）信号光、変調されない参照光の２つをレーザ光から生成し、これらをホログラム記録媒体の同一場所に照射する。その結果、ホログラム記録媒体上で信号光と参照光が干渉して照射点に回折格子（ホログラム）が形成され、ホログラム記録媒体にデータが記録される。
【０００４】
記録済みのホログラム記録媒体に参照光を照射することで、記録時に形成された回折格子から回折光（再生光）が発生する。この再生光は記録時の信号光に重畳されたデータを含んでいるので、これを受光素子で受光して記録した信号を再生できる。
【０００５】
ところで、ホログラム記録再生用光源には極めてコヒーレンシーの良いシングルモードのレーザ光源が必要とされ、ガスレーザ、ＳＨＧレーザ、等が用いられる。通常のレーザダイオードはマルチモードのためコヒーレンシーの点で不十分であるが、外部共振器型レーザを構成すればコヒーレンシーの良好なホログラム記録再生用の光源が実現できる。このため、小型、省電力であるブルーレーザダイオードを使用した外部共振器型レーザもホログラム光源として使用できるようになった。
【０００６】
また、ホログラム記録に用いる時に重要なのは、波長の再現性である。特に波長を変えて記録する波長多重を行う際には、出力光の波長を意図した長さに制御しなくてはならない。その場合、例えば波長可変型の外部共振器レーザを用いることができる。
【０００７】
外部共振器としては、例えばＬｉｔｔｒｏｗ型を用いることができる。このような外部共振器では、まずレーザダイオードから出射されたレーザビームはコリメータレンズにより平行光になり、反射型の回折格子に照射される。回折格子に反射したビームは0次光と1次光に分離され、1次光は来た光路をそのまま通り、レーザダイオードに戻る。この戻ったレーザビームにより反射型回折格子とレーザダイオードとで共振器が構成され、レーザダイオードは反射型回折格子の格子形状と、反射型回折格子とレーザダイオードとの距離で決まる波長で発振する（特許文献１参照）。  
【特許文献１】特開１１−１０７３７７号公報（段落[００２８]〜[００３１]、図１）
【発明の開示】
【発明が解決しようとする課題】
【０００８】
このような波長可変型の外部共振器レーザにおいては、出力しているレーザ光の波長や強度を検出する必要があり、しかもこのような検出手段としてはより簡単な構成で装置の小型化に寄与するものが望まれている。
【０００９】
以上のような事情に鑑み、本発明の目的は、構成を簡略化し、装置の小型化を図りつつ、光の波長や光の強度を検出することができるレーザ光源装置、このようなレーザ光源装置を用いたホログラム装置及びレーザ光の検出方法を提供することにある。
【課題を解決するための手段】
【００１０】
Ａ．本発明に係るレーザ光源装置は、マルチモードのレーザ光を発光するレーザ光源と、前記レーザ光源により発光されたレーザ光を平行光とする第１の光学素子と、前記第１の光学素子により平行光とされたレーザ光のうち、０次光を前記レーザ光源以外の所定の方向に反射し、１次光をレーザ光源側に反射する回折格子と、前記回折格子を反射した０次光を所定の方向に反射し、かつ、前記回折格子を反射した０次光の一部を透過する第２の光学素子と、前記第２の光学素子を透過した光の波長及び当該光の強度のうち少なくとも一方を検出する第１の検出手段とを具備することを特徴とする。
【００１１】
ここで、第２の光学素子としては、例えば不完全ミラーを用いることができる。
【００１２】
例えば、不完全ミラーを透過する光は、波長に応じて屈折する方向が異なる。この方向の差異を第１の検出手段で検出することにより、光の波長を検出することができる。また、光の強度については、例えば不完全ミラーを透過する光をそのまま第１の検出手段により検出することでもよい。第１の検出手段としては、光の波長を検出することを前提とするならば、例えば２分割フォトディテクタや位置検出素子を用いればよい。しかし、単に光の強度を検出するだけならば、一般的なフォトディテクタ等を用いても勿論構わない。
【００１３】
本発明では、第２の光学素子として光を所定の方向に反射し、かつ、光の一部を透過する、例えば不完全ミラーを用いることで、光の波長や光の強度を検出するための手段に導くための特別な光学素子、例えばハーフミラー等を別個に設ける必要がないので、構成を簡素化し、装置の小型化に寄与することになる。
【００１４】
（１）前記回折格子の反射面と前記第２の光学素子の反射面とのなす角度を一定に維持しつつ、前記回折格子の反射面に対する前記レーザ光の入射角を可変する可変手段を具備するようにしてもよい。
【００１５】
回折格子の反射面に対するレーザ光の入射角を可変することにより、発振波長を可変することができる。その場合に、回折格子の反射面と第２の光学素子の反射面とのなす角度を一定に維持しているので、レーザ光の出射方向を一定の方向にすることができる。
【００１６】
（２）前記第１の検出手段により検出された光の波長に基づき前記可変手段を制御する手段を具備する。
【００１７】
これにより、簡単な構成で光の波長を正確に制御することが可能となる。
【００１８】
（３）前記第２の光学素子を反射した光の光路上に配置されたシェアープレートと、前記シェアープレートを反射した光に基づいて当該光の波長を検出する第２の検出手段とを更に具備するようにしてもよい。
【００１９】
ここで、第２の検出素子としては、例えば２分割フォトディテクタを用いることができる。
【００２０】
シェアープレートとしては、例えばオプティカルウェッジを用いることができる。その表面を反射した光とその裏面を反射した光の波長の差異によって干渉縞が形成される。第２の検出手段は、その干渉縞に基づき光の波長を検出することができる。これによる検出は、第１の検出手段に比べてより高精度に波長を検出することができる。第１の検出手段と併用することで、広いレンジで且つ高精度に波長の検出を行うことが可能となる。
【００２１】
Ｂ．本発明の別の観点に係るホログラム装置は、ホログラム記録媒体に対して波長多重によりホログラム記録又は再生するホログラム装置において、マルチモードのレーザ光を発光するレーザ光源と、前記レーザ光源により発光されたレーザ光を平行光とする第１の光学素子と、前記第１の光学素子により平行光とされたレーザ光のうち、０次光を前記レーザ光源以外の所定の方向に反射し、１次光をレーザ光源側に反射する回折格子と、前記回折格子を反射した０次光を所定の方向に反射し、かつ、前記回折格子を反射した０次光の一部を透過する第２の光学素子と、前記第２の光学素子を透過した光の波長及び当該光の強度のうち少なくとも一方を検出する第１の検出手段とを具備するレーザ光源装置を備えたことを特徴とする。
【００２２】
この発明によれば、構成を簡略化し、装置の小型化を図りつつ、光の波長や光の強度を検出することができる。
【００２３】
ここで、前記回折格子の反射面と前記第２の光学素子の反射面とのなす角度を一定に維持しつつ、前記回折格子の反射面に対する前記レーザ光の入射角を可変する可変手段を具備するようにしてもよい。
【００２４】
また、前記第１の検出手段により検出された光の波長に基づき前記可変手段を制御する手段を具備するようにしてもよい。
【００２５】
更に、前記第２の光学素子を反射した光の光路上に配置されたシェアープレートと、前記シェアープレートを反射した光に基づいて当該光の波長を検出する第２の検出手段とを更に具備するようにしてもよい。
【００２６】
Ｃ．本発明の更に別の観点に係るレーザ光の検出方法は、マルチモードのレーザ光を発光し、前記発光されたレーザ光を平行光にし、前記平行光とされたレーザ光のうち、０次光を発光側以外の所定の方向に反射し、１次光を発光側に反射する。そして、前記反射した０次光を所定の方向に反射し、かつ、前記０次光の一部を透過し、前記透過した光の波長及び当該光の強度のうち少なくとも一方を検出することを特徴とする。
【００２７】
この発明によれば、構成を簡略化し、装置の小型化を図りつつ、光の波長や光の強度を検出することができる。
【発明の効果】
【００２８】
以上のように、本発明によれば、第２の光学素子として、回折格子を反射した０次光を所定の方向に反射し、かつ、回折格子を反射した０次光の一部を透過するように構成し、第２の光学素子を透過した光の波長及び当該光の強度のうち少なくとも一方を検出するようにしているので、構成を簡略化し、装置の小型化を図りつつ、光の波長や光の強度を検出することができる。
【発明を実施するための最良の形態】
【００２９】
以下、本発明の実施の形態を図面に基づき説明する。
【００３０】
[第１の実施形態に係るレーザ光源装置]
【００３１】
図１は、本発明の第１の実施形態に係るレーザ光源装置を表す模式図である。
【００３２】
図１に示すように、レーザ光源装置１００は、レーザダイオード１０１，コリメートレンズ１０２，回折格子１０３，不完全ミラー１０４、２分割フォトディテクタ１０５及び制御部１０６を備える。
【００３３】
レーザダイオード１０１は、マルチモードのレーザ光を発光する。例えば、４１０ｎｍ程度のブルーのレーザ光を発光するものである。
【００３４】
コリメートレンズ１０２は、レーザダイオード１０１により発光されたレーザ光を平行光とする。
【００３５】
回折格子１０３は、図２に示すように、波長ごとに異なる方向へ１次光を発生し、そのうち特定波長（例えば４１０ｎｍ）の１次光がレーザダイオード１０１戻るようにレーザダイオード１０１との間の角度が設定されている。これにより、レーザダイオード１０１内でその波長成分だけが増大し、シングルモードとなる。レーザダイオード１０１により発光されるレーザ光の大半は、１次光ではなく０次光であり、回折格子１０３でミラーのように反射する。つまり、このレーザ光源装置１００は、基本的にはＬｉｔｔｒｏｗ型外部共振器レーザである。
【００３６】
不完全ミラー１０４は、回折格子１０３を反射した０次光を回折格子以外の所定の方向に反射し、０次光のうち一部の光を透過する。
【００３７】
２分割フォトディテクタ１０５は、不完全ミラー１０４を透過した光が当たる位置に配置されている。この２分割フォトディテクタ１０５は、図３に示すように、図１中矢印方向に沿って２つに分割されている。
【００３８】
ここで、例えば図４に示すように、不完全ミラー１０４では、透過する光の波長に応じて光が屈折する角度が異なる。具体的には、光の波長に応じて図１中矢印方向に沿って光の方向が変動する。２分割フォトディテクタ１０５は、この変動に応じてＡとＢの出力が変化する。そして、この変化を検出することで、光の波長を検出することができる。
【００３９】
つまり、図３において、レーザ光は2分割フォトディテクタ１０５上に照射され、波長の変化に伴い矢印の方向に移動する。位置の検出には２分割フォトディテクタ１０５からの光電流Ａ，Ｂを以下の演算式
【００４０】
位置（波長）＝（Ａ−Ｂ）／（Ａ＋Ｂ）
【００４１】
により求めることができる。
【００４２】
また、光量は
【００４３】
光量＝Ａ＋Ｂ
【００４４】
により求めることができる。
【００４５】
ただし、ビーム径が２分割フォトディテクタ１０５よりも大きい場合は、上記のレーザ光の"位置"とその時の"光量"をあらかじめ測定しておきテーブルを作成しておく。そして、実際の光量測定では、最初に２分割フォトディテクタ１０５上の"位置"を求める。その後、その値から先述のテーブルの"光量"を参照し、その量との比が現在出力として測定される。
【００４６】
なお、２分割フォトディテクタ１０５に代えて、図５に示すように、位置検出素子１０７を用いても構わない。位置検出素子１０７は、図１中矢印方向に対する光の位置を検出するものである。つまり、光の照射位置は波長の変化に伴い矢印の方向に移動する。位置の検出には上記と同様に光電流Ａ、Ｂを以下の演算式
【００４７】
位置（波長）＝（Ａ−Ｂ）／（Ａ＋Ｂ）
【００４８】
により求めることができる。
【００４９】
また、光量は
【００５０】
光量＝Ａ＋Ｂ
【００５１】
により求めることができる。
【００５２】
図６に示すように、回折格子１０３及び不完全ミラー１０４は、保持部材１０９により保持され、回折格子１０３の反射面と不完全ミラー１０４の反射面とが常に所定の角度が維持されている。これにより、回折格子１０３が回転しても不完全ミラー１０４によりレーザ光の出射方向を固定することができる。
【００５３】
保持部材１０９は軸１１０により回転可能に保持されている。保持部材１０９は例えば断面三角形状で、かつ、その内部が空洞にされている。この保持部材１０９では、軸１１０の一側に回折格子１０３及び不完全ミラー１０４が例えば接着剤により固定され、他側に回転用の軸１１１が一体的に設けられている。勿論、保持部材１０９には、回折格子１０３及び不完全ミラー１０４の表面が保持部材１０９の内部側に露出するように窓が設けられ、また光の出口用の窓も設けられている。また、回折格子１０３及び不完全ミラー１０４のそれぞれの表面を延長した交線は、軸１１０の中心線と一致するようになっている。
【００５４】
回転駆動部１１２は、軸１１０を中心として保持部材１０９を回転するものであり、本体１１３、回転用の軸１１１を押すためのネジ１１４、回転用の軸１１１がネジ１１４により押される方向とは反対方向から回転用の軸１１１に弾性力を付与する板バネ１１５を備える。ネジ１１４は例えば図示を省略した回転駆動モータにより回転されるようになっている。
【００５５】
ここでは、回折格子１０３を回転させること、例えば４１０ｎｍ程度のブルーのレーザ光の波長を５〜１０ｎｍ程度可変することができる。
【００５６】
制御部１０６は、２分割フォトディテクタ１０５による検出結果に基づき、当該レーザ光源装置１００により発光されるレーザ光の波長や強度を制御する。例えば、２分割フォトディテクタ１０５による検出結果に基づき回転駆動モータにより回折格子１０３を回転させてレーザ光の波長が所望の値となるように制御する。また、２分割フォトディテクタ１０５による検出結果に基づき当該レーザ光源装置１００により発光されるレーザ光の強度が所望の値となるようにレーザダイオード１０１に流れる電流を制御する。
【００５７】
次に、このように構成されたレーザ光源装置１００の動作を説明する。
【００５８】
レーザダイオード１０１で発光したレーザ光は、コリメートレンズ１０２により平行光とされる。
【００５９】
このレーザ光のうち、０次光は回折格子１０３を反射し、更にこの光は不完全ミラー１０４の反射して出力光として出力される。
【００６０】
一方、不完全ミラー１０４では、０次光のうち一部の光は、透過して２分割フォトディテクタ１０５に照射される。そして、その照射位置は、光の波長に応じて図１中矢印方向に沿って光の方向が変動する。
【００６１】
２分割フォトディテクタ１０５による検出結果は、制御部１０６に伝えられ、制御部１０６により当該レーザ光源装置１００により発光されるレーザ光の波長や強度が制御される。
【００６２】
本実施形態におけるレーザ光源装置１００では、本来的には光の反射により出力光を所望の方向に導くための光学素子を不完全ミラー１０４により構成し、その不完全ミラー１０４を透過した光の照射位置から光の波長を検出し、また当該光の強度を検出しているので、光を光の波長や光の強度を検出するための手段に導くための特別な光学素子、例えばハーフミラー等を別個に設ける必要がなくなる。よって、構成を簡素化し、装置の小型化に寄与することになる。
【００６３】
[第２の実施形態に係るレーザ光源装置]
【００６４】
図７は、本発明の第２の実施形態に係るレーザ光源装置を表す模式図である。
【００６５】
図７に示すように、レーザ光源装置２００は、不完全ミラー１０４を反射した光の光路上にシェアープレート２０１を設け、シェアープレート２０１を反射した光を２分割フォトディテクタ２０２により検出するように構成した点が第１の実施形態に係るレーザ光源装置と異なる。第１の実施形態と共通する要素には同じ符号を付して説明を省略する。
【００６６】
シェアープレート２０１としては、例えばオプティカルウェッジを用いることができる。
【００６７】
オプティカルウェッジ（以下、符号２０１とする）とは、図８に示すように、両面のなす角が数十分程度のガラス板である。これにレーザ光を約４５度傾けて入射すると、ガラス板の表面と裏面で反射した光が干渉縞を形成する（図９参照）。
【００６８】
この干渉縞は、光の波長によって各位置での光の強度が異なることになるので、２分割フォトディテクタ２０２により所定の２箇所での光の強度を検出し、制御部１０６によって比較することで光の波長を検出することができる。
【００６９】
本実施形態では、干渉縞を使って光の波長を検出しているので、より高精度で光の波長を検出することが可能となる。また、２分割フォトディテクタ１０５と併用することで広いレンジで且つ高精度で光の波長を検出することが可能となる。
【００７０】
[ホログラム記録再生装置の一例]
【００７１】
次に、本発明に係るホログラム記録再生装置の構成例を説明する。
【００７２】
図１０は、本発明に係るホログラム記録再生装置の光学ユニット３００を表す模式図である。この光学ユニット３００はコーリニアと呼ばれるタイプであり、信号光と参照光とで同一の光学系が用いられている。
【００７３】
この光学ユニット３００は、記録再生用光源３１１，ビームエキスパンダ３１２，空間光変調器３１３，不完全ミラー３１４，ファラデー素子３１５，レンズ３１６，ＣＣＤセンサ３１７を有する。
【００７４】
記録再生用光源３１１は、図１や図７に示したレーザ光源装置１００やレーザ光源装置２００を用いることができる。
【００７５】
ビームエキスパンダ３１２は、記録再生用光源３１１から照射されたレーザ光の径を拡張する光学素子である。
【００７６】
空間光変調器３１３は、信号光を空間的に（ここでは、２次元的に）変調して、データ信号を重畳する光学素子である。空間光変調器３１３は、透過型の素子である透過型強誘電体液晶素子を用いることができる。なお、空間光変調器に反射型の素子であるDMD (Digital micro mirror) や反射型液晶、GLV (Grating Light Value)素子を用いることが可能である。空間光変調器３１３は、図１１に示すように、信号光が通過するほぼ円形状の第１の領域３２０と、参照光が通過する第２の領域３２１とを有する。
【００７７】
ファラデー素子３１５は、光の偏光方向を４５°回転させる光学素子である。信号光及び参照光の偏光方向はファラデー素子３１５により４５°回転する。また、ホログラム記録媒体４０１を反射した反射光はファラデー素子３１５により更に４５°回転する。従って、ホログラム記録媒体４０１を反射した反射光の偏光方向は、不完全ミラー３１４の透過軸の方向から９０°回転したことになり、ホログラム記録媒体４０１を反射した反射光は不完全ミラー３１４を透過しないで反射し、ＣＣＤセンサ３１７に導かれる。
【００７８】
レンズ３１６は、信号光及び参照光をホログラム記録媒体４０１に集光する光学素子である。空間光変調器３１３上に表示された像（実像）がレンズ３１６の焦点位置にフラウンホーファー（Fraunhofer）回折像（フーリエ（Fourier）変換像）に変換されて結像するとともに、参照光もレンズ３１６の焦点位置にフラウンホーファー（Fraunhofer）回折像（フーリエ（Fourier）変換像）に変換して結像する。その結果、ホログラム記録媒体４０１で信号光と参照光が干渉して照射点に回折格子（ホログラム）が形成され、ホログラム記録媒体４０１にデータが記録される。
【００７９】
また、ホログラム記録媒体４０１から再生された回折光は、レンズ３１６、ファラデー素子３１５及び不完全ミラー３１４を介してＣＣＤセンサ３１７に集光する。このとき、ＣＣＤセンサ３１７の検知面には空間光変調器３１３に表示されていた実像が結像する。つまり、レンズ３１６はホログラム記録媒体４０１に記録された空間光変調器３１３のフーリエ変換像を逆フーリエ変換してＣＣＤセンサ３１７に結像する逆フーリエ変換レンズでもある。
【００８０】
ＣＣＤセンサ３１７は、再生された信号光を検出する受光素子であり、受光素子が２方向に配列された２次元受光素子である。
【００８１】
なお、ホログラム記録媒体４０１は、図１２に示すように、円盤状（ディスク型）であり、保護層４０２，記録層４０３，保護層４０４を有し、信号光と参照光による干渉縞を記録する記録媒体である。
【００８２】
保護層４０２，４０４は、記録層４０３を外界から保護するための層である。
【００８３】
記録層４０３は、干渉縞を屈折率（あるいは、透過率）の変化として記録するものであり、光の強度に応じて屈折率（あるいは、透過率）の変化が行われる材料であれば、有機材料、無機材料の別を問うことなく利用可能である。
【００８４】
無機材料として、例えば、ニオブ酸リチウム（ＬｉＮｂＯ３）のような電気光学効果によって露光量に応じ屈折率が変化するフォトリフラクティブ材料を用いることができる。
【００８５】
有機材料として、例えば、光重合型フォトポリマを用いることができる。光重合型フォトポリマは、その初期状態では、モノマがマトリクスポリマに均一に分散している。これに光が照射されると、露光部でモノマが重合する。そして、ポリマ化するにつれて周囲からモノマが移動してモノマの濃度が場所によって変化する。
【００８６】
以上のように、記録層４０３の屈折率（あるいは透過率）が露光量に応じて変化することで、参照光と信号光との干渉によって生じる干渉縞を屈折率（あるいは透過率）の変化としてホログラム記録媒体４０１に記録できる。
【００８７】
ホログラム記録媒体４０１は、図示しない駆動手段で移動（ホログラム記録媒体４０１の半径方向）及び回転（ホログラム記録媒体４０１の円周方向）され、空間光変調器３１３の像を多数のホログラムとして記録することができる。ホログラム記録媒体４０１自体が移動するのではなく、光学ユニット３００がホログラム記録媒体４０１の半径方向に移動するものであっても構わない。
【図面の簡単な説明】
【００８８】
【図１】本発明の第１の実施形態に係るレーザ光源装置を表す模式図である。
【図２】外部共振器の動作を説明するための図である。
【図３】２分割フォトディテクタの構成を示す平面図である。
【図４】不完全ミラーにおける光の波長と光の屈折角度との関係を示すグラフである。
【図５】位置検出素子の構成を示す平面図である。
【図６】回折格子及び不完全ミラーの回転機構を説明するための図である。
【図７】本発明の第２の実施形態に係るレーザ光源装置を表す模式図である。
【図８】オプティカルウェッジの構成を示す断面図である。
【図９】プティカルウェッジの作用を説明するための図である。
【図１０】本発明に係るホログラム記録再生装置の光学ユニットを表す模式図である。
【図１１】空間光変調器の平面図である。
【図１２】ホログラム記録媒体の構成を示す斜視図である。
【符号の説明】
【００８９】
１００  レーザ光源装置
１０１  レーザダイオード
１０３  回折格子
１０４  不完全ミラー
１０５  ２分割フォトディテクタ
１０６  制御部
２００  レーザ光源装置
２０１  シェアープレート
２０２  ２分割フォトディテクタ
【図１】
2006114183.tif 000003
【図２】
2006114183.tif 000004
【図３】
2006114183.tif 000005
【図４】
2006114183.tif 000006
【図５】
2006114183.tif 000007
【図６】
2006114183.tif 000008
【図７】
2006114183.tif 000009
【図８】
2006114183.tif 000010
【図９】
2006114183.tif 000011
【図１０】
2006114183.tif 000012
【図１１】
2006114183.tif 000013
【図１２】
2006114183.tif 000014
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
マルチモードのレーザ光を発光するレーザダイオードと、
前記レーザダイオードにより発光されたレーザ光を平行光とする第１の光学素子と、
前記第１の光学素子により平行光とされたレーザ光のうち、０次光を前記レーザダイオード以外の所定の方向に反射し、１次光をレーザダイオード側に反射する回折格子と、
前記回折格子を反射した０次光を所定の方向に反射し、かつ、前記回折格子を反射した０次光の一部を透過する第２の光学素子と、
前記第２の光学素子を透過した光の波長及び当該光の強度のうち少なくとも一方を検出する第１の検出手段と
を具備することを特徴とするレーザ光源装置。
【請求項２】
請求項１に記載のレーザ光源装置において、
前記回折格子の反射面と前記第２の光学素子の反射面とのなす角度を一定に維持しつつ、前記回折格子の反射面に対する前記レーザ光の入射角を可変する可変手段
を具備することを特徴とするレーザ光源装置。
【請求項３】
請求項２に記載のレーザ光源装置において、
前記第１の検出手段により検出された光の波長に基づき前記可変手段を制御する手段
を具備することを特徴とするレーザ光源装置。
【請求項４】
請求項１に記載のレーザ光源装置において、
前記第２の光学素子を反射した光の光路上に配置されたシェアープレートと、
前記シェアープレートを反射した光に基づいて当該光の波長を検出する第２の検出手段と
を更に具備することを特徴とするレーザ光源装置。
【請求項５】
ホログラム記録媒体に対して波長多重によりホログラム記録又は再生するホログラム装置において、
マルチモードのレーザ光を発光するレーザダイオードと、前記レーザダイオードにより発光されたレーザ光を平行光とする第１の光学素子と、前記第１の光学素子により平行光とされたレーザ光のうち、０次光を前記レーザダイオード以外の所定の方向に反射し、１次光をレーザダイオード側に反射する回折格子と、前記回折格子を反射した０次光を所定の方向に反射し、かつ、前記回折格子を反射した０次光の一部を透過する第２の光学素子と、前記第２の光学素子を透過した光の波長及び当該光の強度のうち少なくとも一方を検出する第１の検出手段とを具備するレーザ光源装置
を備えたことを特徴とするホログラム装置。
【請求項６】
マルチモードのレーザ光を発光し、
前記発光されたレーザ光を平行光にし、
前記平行光とされたレーザ光のうち、０次光を発光側以外の所定の方向に反射し、１次光を発光側に反射し、
前記反射した０次光を所定の方向に反射し、かつ、前記０次光の一部を透過し、
前記透過した光の波長及び当該光の強度のうち少なくとも一方を検出する
ことを特徴とするレーザ光の検出方法。
【手続補正２】
【補正対象書類名】明細書
【補正対象項目名】００１０
【補正方法】変更
【補正の内容】
【００１０】
Ａ．本発明に係るレーザ光源装置は、マルチモードのレーザ光を発光するレーザダイオードと、前記レーザダイオードにより発光されたレーザ光を平行光とする第１の光学素子と、前記第１の光学素子により平行光とされたレーザ光のうち、０次光を前記レーザダイオード以外の所定の方向に反射し、１次光をレーザダイオード側に反射する回折格子と、前記回折格子を反射した０次光を所定の方向に反射し、かつ、前記回折格子を反射した０次光の一部を透過する第２の光学素子と、前記第２の光学素子を透過した光の波長及び当該光の強度のうち少なくとも一方を検出する第１の検出手段とを具備することを特徴とする。
【手続補正３】
【補正対象書類名】明細書
【補正対象項目名】００２０
【補正方法】変更
【補正の内容】
【００２０】
シェアープレートの表面を反射した光とその裏面を反射した光の波長の差異によって干渉縞が形成される。第２の検出手段は、その干渉縞に基づき光の波長を検出することができる。これによる検出は、第１の検出手段に比べてより高精度に波長を検出することができる。第１の検出手段と併用することで、広いレンジで且つ高精度に波長の検出を行うことが可能となる。
【手続補正４】
【補正対象書類名】明細書
【補正対象項目名】００２１
【補正方法】変更
【補正の内容】
【００２１】
Ｂ．本発明の別の観点に係るホログラム装置は、ホログラム記録媒体に対して波長多重によりホログラム記録又は再生するホログラム装置において、マルチモードのレーザ光を発光するレーザダイオードと、前記レーザダイオードにより発光されたレーザ光を平行光とする第１の光学素子と、前記第１の光学素子により平行光とされたレーザ光のうち、０次光を前記レーザダイオード以外の所定の方向に反射し、１次光をレーザダイオード側に反射する回折格子と、前記回折格子を反射した０次光を所定の方向に反射し、かつ、前記回折格子を反射した０次光の一部を透過する第２の光学素子と、前記第２の光学素子を透過した光の波長及び当該光の強度のうち少なくとも一方を検出する第１の検出手段とを具備するレーザ光源装置を備えたことを特徴とする。
【手続補正５】
【補正対象書類名】明細書
【補正対象項目名】００６６
【補正方法】削除
【補正の内容】
【手続補正６】
【補正対象書類名】明細書
【補正対象項目名】００６７
【補正方法】変更
【補正の内容】
【００６７】
シェアープレート２０１とは、図８に示すように、両面のなす角が数十分程度のガラス板である。これにレーザ光を約４５度傾けて入射すると、ガラス板の表面と裏面で反射した光が干渉縞を形成する（図９参照）。
【手続補正７】
【補正対象書類名】明細書
【補正対象項目名】００８８
【補正方法】変更
【補正の内容】
【００８８】
【図１】本発明の第１の実施形態に係るレーザ光源装置を表す模式図である。
【図２】外部共振器の動作を説明するための図である。
【図３】２分割フォトディテクタの構成を示す平面図である。
【図４】不完全ミラーにおける光の波長と光の屈折角度との関係を示すグラフである。
【図５】位置検出素子の構成を示す平面図である。
【図６】回折格子及び不完全ミラーの回転機構を説明するための図である。
【図７】本発明の第２の実施形態に係るレーザ光源装置を表す模式図である。
【図８】シェアープレートの構成を示す断面図である。
【図９】シェアープレートの作用を説明するための図である。
【図１０】本発明に係るホログラム記録再生装置の光学ユニットを表す模式図である。
【図１１】空間光変調器の平面図である。
【図１２】ホログラム記録媒体の構成を示す斜視図である。